(57)【要約】【課題】予め登録されている情報を携帯通信端末の位置情報に基づいて適宜提供することができ、利用者にとって操作が負担とならず容易に利用することができる携帯通信端末を提供する【解決手段】目的とする対象スポットに関連する登録情報及びこれに対応する位置情報が登録されているアドレス帳などのデータ記憶部１１３と、現在位置情報取得装置１０２により得られた現在位置情報と前記登録位置情報とを比較する位置情報比較部１０６と、を有し、前記比較部１０６により、前記記憶された登録位置から所定圏内に前記現在位置が存在すると判別されたときに所定の報知手段に基づき報知するとともに、表示部１１５に登録情報を表示する。【選択図】      図２
2004325215.tif 000002
【特許請求の範囲】
【請求項１】
位置情報を取得する位置情報取得手段と、
表示手段と、
登録情報とこれに対応する登録位置情報を記憶する記憶手段と、
報知手段と、
前記位置情報取得手段により得られた現在位置情報が、前記登録位置情報から所定圏内であると判断したときに、前記報知手段を起動するとともに、前記表示手段に前記登録情報を表示するように制御する制御手段を備えることを特徴とする携帯通信端末。
【請求項２】
前記記憶手段は、前記位置情報取得手段より取得した位置情報を前記登録位置情報として記憶することを特徴とする請求項１に記載の携帯通信端末。
【請求項３】
前記登録位置情報が経度及び緯度からなる位置情報であり、
前記判断は、前記制御手段により前記登録位置情報及び前記現在位置情報のそれぞれの経度及び緯度から距離を算出し、該算出した距離が所定距離以下であるか否かを判断することを特徴とする請求項１に記載の携帯通信端末。
【請求項４】
前記所定距離を予め設定可能としたことを特徴とする請求項３記載の携帯通信端末。
【請求項５】
位置情報を取得する位置情報取得手段と、
表示手段と、
登録情報とこれに対応する登録位置情報を記憶する記憶手段と、
報知手段と、
前記位置情報取得手段により得られた現在位置情報を前記登録位置情報と比較し、一致もしくは所定の条件で一致すると判断したときに、前記報知手段を起動するとともに、前記表示手段に前記登録情報を表示するよう制御する制御手段を備えることを特徴とする携帯通信端末。
【請求項６】
前記登録位置情報及び前記現在位置情報が住所を表す文字列であり、前記所定の条件は、前記登録位置情報及び前記現在位置情報の住所を示す文字列の前方一致であることを特徴とする請求項５に記載の携帯通信端末。
【請求項７】
前記記憶手段は、電話番号若しくは名前を含む複数のアドレス情報を蓄積するアドレス帳を記憶し、かつ前記アドレス情報の少なくとも１つに前記登録情報と前記登録位置情報を対応付けて記憶することを特徴とする請求項１または５に記載の携帯通信端末。
【請求項８】
前記制御手段は、前記アドレス帳から選択されたアドレス情報を基に通信ネットワークを介して位置情報を取得し、該アドレス情報に前記登録位置情報として記録することを特徴とする請求項７に記載の携帯通信端末。
【請求項９】
前記報知手段が、文字や図形、音、光、若しくは振動のうち、少なくとも何れか一により報知を行うことを特徴とする請求項１または５に記載の携帯通信端末。
【発明の詳細な説明】
【０００１】
【発明の属する技術分野】
本発明は、ＧＰＳ（Ｇｌｏｂａｌ  Ｐｏｓｉｔｉｏｎｉｎｇ  Ｓｙｓｔｅｍ）衛星通信網、携帯通信端末ネットワークなどを利用して自端末の位置情報を取得する機能を備えた携帯通信端末に関し、特に自端末周辺に存在する対象スポットに関する登録情報を表示可能な携帯通信端末に関する。
【０００２】
【従来の技術】
従来より、ＧＰＳ又は携帯通信端末ネットワーク等を利用して自己の位置情報を取得する機能を具備した携帯通信端末が提供されている。このような位置情報取得機能は、例えば携帯電話やＰＨＳ、ＰＤＡ等の移動通信端末に搭載され、自端末の現在位置を画面上に表示した経路検索によるナビゲーションシステム、他端末の位置情報及び移動情報を把握可能とした営業マンの活動状況及び派遣管理システム、携帯通信端末を所持する老人や子供のトラッキングなど多様な目的に利用されている。
【０００３】
かかる機能を具備した携帯通信端末として、特開２００１−１２４５８１公報（引用文献１）に示される携帯電話端末は、ＧＰＳ用衛星から入手した現在位置情報検出手段を、インターネット回線を介して入手した地図情報に一定時間間隔ごとに表示させることにより自分の経路履歴を作成することを可能とした構成としており、これによりかかる機能を、例えば徘徊老人の行動パターンの把握などの用途に利用することができる。
【０００４】
ＧＰＳを用いた位置情報の計測手法は、ＧＰＳ用衛星から発信される情報信号を利用して、受信者とＧＰＳ用衛星の位置関係を測定し、現在地の緯度・経度を導き出すものが一般的である。一方、Ｗ−ＣＤＭＡ方式やＰＤＣ方式の携帯電話やＰＨＳ等の移動通信端末ネットワークを利用した位置計測手法も広く用いられており、これは電波の送受信を行う基地局を衛星に見立てて、基地局から送信される電波の伝播時間差を測定し、基地局の座標地を参照して三辺測量の原理に基づいて位置情報を測定する手法や、基地局から送信される緯度、経度情報を用いて携帯通信端末の位置を計測する手法などが挙げられる。
【０００５】
近年注目されているシステムとして、かかる位置情報取得機能を利用し、自端末の現在位置に対応した地域情報を使用者に知らせることを可能とした情報通知システムがある。これは、端末利用者が情報の通知を希望するスポットに関する地域情報を提供するシステムであり、利用者が情報を要求する際に携帯通信端末の現在位置をサーバ側に送信し、該現在位置に関連する情報をネットワークを介して利用者側の携帯通信端末に送信するシステムである。
これにより得られた画像等の地域情報は表示部に表示され、利用者は必要とする情報を適宜得ることができる。
【０００６】
【特許文献１】
特開２００１−１２４５８１公報
【０００７】
【発明が解決しようとする課題】
しかしながら従来の技術では、検索したいスポットに関する地域情報について、利用者側が積極的に携帯通信端末を操作することにより入手しなければならなかった。このように、利用者は要求が発生する度に能動的に地域情報の取得操作を行わなければならず、利用者側に多大な煩わしさを与えてしまう。また、地域情報の取得操作を行っても実際に対応する地域の登録情報が存在しない場合も考えられ、このような事態が続くとそのシステムの利用価値が低下し、利用者がシステムを利用しなくなる惧れもある。
従って、本発明はかかる従来技術の問題に鑑み、予め登録されている情報を携帯通信端末の位置情報に基づいて適宜提供することができ、利用者にとって操作が負担とならず容易に利用することができる携帯通信端末を提供することを目的とする。
【０００８】
【課題を解決するための手段】
そこで、本発明はかかる課題を解決するために、
位置情報を取得する位置情報取得手段と、
表示手段と、
登録情報とこれに対応する登録位置情報を記憶する記憶手段と、
報知手段と、
前記位置情報取得手段により得られた現在位置情報が、前記登録位置情報から所定圏内であると判断したときに、前記報知手段を起動するとともに、前記表示手段に前記登録情報を表示するように制御する制御手段を備えることを特徴とする。
【０００９】
また、前記記憶手段は、前記位置情報取得手段より取得した位置情報を前記登録位置情報として記憶することを特徴とする。
また、前記登録位置情報が経度及び緯度からなる位置情報であり、
前記判断は、前記制御手段により前記登録位置情報及び前記現在位置情報のそれぞれの経度及び緯度から距離を算出し、該算出した距離が所定距離以下であるか否かを判断することを特徴とし、さらに前記所定距離を予め設定可能とすることが好適である。
【００１０】
また、本発明は、位置情報を取得する位置情報取得手段と、
表示手段と、
登録情報とこれに対応する登録位置情報を記憶する記憶手段と、
報知手段と、
前記位置情報取得手段により得られた現在位置情報を前記登録位置情報と比較し、一致もしくは所定の条件で一致すると判断したときに、前記報知手段を起動するとともに、前記表示手段に前記登録情報を表示するよう制御する制御手段を備えることを特徴とする。
【００１１】
さらに、これらの発明において、前記登録位置情報及び前記現在位置情報が住所を表す文字列であり、前記所定の条件は、前記登録位置情報及び前記現在位置情報の住所を示す文字列の前方一致であることが好ましい。
さらに、前記記憶手段は、電話番号若しくは名前を含む複数のアドレス情報を蓄積するアドレス帳を記憶し、かつ前記アドレス情報の少なくとも１つに前記登録情報と前記登録位置情報を対応付けて記憶すると良い。
さらにまた、前記制御手段は、前記アドレス帳から選択されたアドレス情報を基に通信ネットワークを介して位置情報を取得し、該アドレス情報に前記登録位置情報として記録することが好ましい。
また、前記報知手段が、文字や図形、音、光、若しくは振動のうち、少なくとも何れか一により報知を行うことが好適である。
【００１２】
【発明の実施の形態】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
図１は本発明の実施形態に係る携帯通信端末を用いた情報報知システムの全体構成図、図２は本発明の実施形態に係る携帯通信端末を示すブロック図である。
【００１３】
図１に示すように、かかる情報報知システムは、ＧＰＳアンテナ及び受信機を搭載して位置情報取得機能を有する携帯通信端末１０と、地上に航法メッセージ信号を発信するＧＰＳ用衛星１３と、該ＧＰＳ用衛星の動作を監視し制御するＧＰＳ基地局１４とを主要構成としている。かかる実施形態では、位置情報取得手段としてＧＰＳを用いているが、特にこれに限らず例えば携帯通信端末ネットワーク等のように携帯通信端末の位置情報が所定精度で検出可能なシステムであれば何れを用いても良い。
【００１４】
かかるシステムは、利用者１５が把握したい対象スポット１２を予め携帯通信端末１０に登録しておき、該登録位置、即ち対象スポット１２から所定圏内１１に端末利用者１５が侵入した際に、報知手段にて利用者１５に報知されるように構成されている。前記対象スポット１２は、店舗、住居、病院、公園等の利用者１５が報知を要望する場所で、予め該対象スポット１２に関する各種情報が携帯通信端末１０に登録されていることが好ましい。尚、前記登録位置（対象スポット１２）はピンポイント的に狭域としても良いし、広域であっても良い。
また、必要に応じてかかる携帯通信端末１０と無線回線を介して情報の送受信を行うパケット網１６ａ及び各種位置情報を格納した位置情報サーバ１６ｂを備えた携帯通信端末基地局１６と、該基地局１６とインターネット網１７を介して接続される位置情報サーバ１８等を具備する。
【００１５】
前記携帯通信端末１０は、図２に示すようにＧＰＳ用衛星１３から発信される信号を受信するアンテナ部１０１及び自端末の現在位置情報を取得する現在位置情報取得装置１０２と、各種情報の登録操作を行うキー入力操作部１０３と、本体部１１４と、報知手段であるＬＣＤ表示部１１５、バイブレーター部１１６、ＬＥＤ部１１７、スピーカー部１１８とを有している。
前記本体部１１４は、各種制御処理を行う制御装置１１１と、無線通信回線を介して情報の送受信を行う通信部１１２と、データ記憶部１１３とを備えた構成となっている。
【００１６】
前記制御装置１１１は、必要とされる登録情報に対応する経度、緯度等の位置情報を通信ネットワークを介して取得する位置情報取得部１０４と、前記データ記憶部１１３に登録されている情報から任意に選択した登録情報をお気に入りに設定するお気に入り登録処理部１０５と、前記現在位置情報取得装置１０２等にて取得した現在位置情報と前記選択された登録情報の登録位置情報を比較する位置情報比較部１０６と、必要に応じて設けられサーバから詳細な登録情報を取得する登録情報取得部１０７と、前記登録位置情報から所定圏内１１の範囲を設定する報知範囲指定処理部１０８と、各種報知手段を制御する報知制御部１０９と、インターフェイス部１１０とを備えている。
【００１７】
次に、図３に示すフロー図を参照して本第１実施形態に係る携帯通信端末１０の処理動作の概要を説明する。本実施形態に係る携帯通信端末１０は、データ記憶部１１３に該端末に既設のアドレス帳が記憶されており、前記お気に入り登録処理部１０５により該アドレス帳１１３に蓄積されている住所若しくは電話番号等のアドレス情報から任意のアドレス情報を選択し、お気に入りに登録する（Ｓ１）。尚、前記データ記憶部１１３をアドレス帳と別に設け、これらが相互に関連付けられ、リンクするように構成しても良い。
そして、該登録情報に対応する位置情報を取得する（Ｓ２）。このとき、例えば電話番号等の登録情報から位置情報を変換する手段を端末内に設けて位置情報を取得する構成としても良いし、図１に示したパケット網１６ａ若しくはインターネット網１７を介して位置情報サーバ１６ｂ、１８に前記登録情報を送信し、これに対応する位置情報をこれらのサーバから取得する構成としても良い。
【００１８】
このようにして取得した登録位置情報を前記アドレス帳１１３に記憶させる（Ｓ３）。同時に、アンテナ部１０１を介してＧＰＳ用衛星１３から受信した信号を基に、現在位置情報取得装置１０２により解析した現在位置情報を取得し（Ｓ４）、該現在位置情報を一時記憶する（Ｓ５）。
そして、前記アドレス帳１１３に記憶された登録位置情報と前記取得した現在位置情報とを比較し（Ｓ６）、比較結果（Ｓ７）が一致した場合には、前記インターフェイス部１１０を介して報知手段にて端末利用者にその旨報知される（Ｓ８）。
【００１９】
このとき、前記登録位置情報及び現在位置情報は、経度及び緯度からなる二次元座標、若しくは市区町村等の住所を含むテキストデータ等であることが好ましい。また、前記所定圏内１１の範囲は前記報知範囲指定処理部１０８にて予め設定することができる。そして、前記比較の際には、緯度及び経度或いはテキストデータが完全に一致するか否かを比較する方法、若しくは所定の条件で一致するか否かを比較する方法が用いられる。かかる所定の条件とは、例えば報知範囲指定処理部１０８にて設定した前記登録位置の緯度経度座標からの所定圏内に現在位置が存在するか否かを比較する方法、前記登録位置のテキストデータの少なくとも前方の一部を所定圏内として設定し、前記現在位置が該所定圏内のテキストデータと一致するか否かを比較する前方一致（例えば○市○町○丁目○番の場合、○市○町○丁目までの一致）による方法、等を用いることができる。尚、前方一致を用いる場合は、○市○町○町目に前記携帯通信端末１０が侵入したときには△番地、□番地等の異なる番地であっても一致したことと判断される。
【００２０】
また、該報知手段はＬＣＤ表示部１１５へ文字や図形等を表示することによる通知、バイブレーター部１１６の端末振動による通知、ＬＥＤ部１１７の発光による通知、スピーカー部１１８の音による通知等が挙げられる。報知手段はこれらのうち一若しくは複数組み合わせて用いられ、予め設定しておくことが可能である。前記報知と同時若しくは時間差を以って、登録されている対象スポット１２の名称、住所、電話番号等の登録情報を表示部に表示する（Ｓ９）。尚、予め対応地図情報を外部から入手しておき、地図情報上に前記対象スポット１２が表示されるようにしても良い。
【００２１】
かかる実施形態によれば、報知する対象スポット１２に関する登録情報を予め任意に選択してお気に入りに登録しておくのみで、端末利用者１５が登録位置である対象スポット１２の近くを通過する際に自動的に該スポットの存在が報知されるため、的確にかつ簡単に目的とする対象スポットを把握することができる。
また、前記対象スポット１２の登録情報を表示する構成としているため、必要とする情報を適宜入手することができる。
さらにかかる実施形態によれば、既存のアドレス帳に蓄積されたアドレス情報に適用することも可能で、該アドレス情報に対応する位置周辺に侵入した際に容易に報知させることができる。
【００２２】
図５乃至図９には各動作の詳細な処理フローの実施例を示す。さらにこれらに対応した表示画面を図１０乃至図１２に示す。
図５は登録情報の位置情報取得手段の処理フローを示している。かかる実施例では、例えばまず、携帯通信端末１０にてアドレス帳１１３を開き（Ｓ２１）、報知したいアドレス情報の電話番号を選択する（Ｓ２２）。そして、選択した電話番号をお気に入りに登録し（Ｓ２３）、登録した電話番号を一時保存して（Ｓ２４）、位置情報サーバに接続する（Ｓ２５）。そして、一時保存した電話番号を用いて登録位置情報を取得し（Ｓ２６）、取得した位置情報をアドレス帳に保存して（Ｓ２７）お気に入りに登録する（Ｓ２８）。
このとき、前記登録位置情報は、電話番号に対応する住所情報、経緯度情報等の前記比較手段により現在位置情報と比較する際に必要とされる位置情報であれば良い。
【００２３】
次に、お気に入り登録処理につき図６及び図１０を参照して説明する。図１０に示される表示部１１５の通常表示画面（ａ）から、処理選択画面（ｂ）を開き、お気に入り登録を選択するとアドレス帳１１３が開く（Ｓ３１）設定となっている。そして、該アドレス帳１１３から報知したいアドレス情報を検索し（Ｓ３２）、アドレス情報選択画面（ｃ）から任意のアドレス情報を選択する（Ｓ３３）。そうすると、登録確認画面（ｄ）が表示され登録の確認を行う（Ｓ３４）。登録を選択した場合、例えば住所等から登録位置情報インターネット等からを取得し（Ｓ３５）、登録終了画面（ｅ）によりお気に入りリストに登録された（Ｓ３６）ことが通知される。
【００２４】
図７のフロー図に示される位置情報比較処理は、まず前記位置情報取得部１０４により取得された登録情報に対応する登録位置情報と、前記アンテナ部１０１及び現在位置情報取得装置１０２により取得された現在位置情報とを前記位置情報比較部１０６にて比較する（Ｓ４１）。かかる比較手段としては、例えば登録位置と現在位置の経緯度の二次元座標からこれら二点間の距離を算出し（Ｓ４２）、該算出された距離が予め設定していた所定距離長以内であるかを判断する（Ｓ４３）。そして、所定距離長以内である場合には、対象スポット１２から報知範囲である所定圏内１１に現在位置が存在すると判断され、報知手段により通知処理され（Ｓ４４）、登録情報が表示部１１５に表示される（Ｓ４５）。
【００２５】
図８は現在位置情報の割り込み処理を示すフロー図である。前記現在位置情報の取得は、ＧＰＳ用衛星１３から所定時間間隔で自動的に信号が受信され（Ｓ５１）、その都度、現在位置情報取得装置１０２により解析されて現在位置情報として取得される（Ｓ５２）。そして、該現在位置情報を前記位置情報比較部１０６に送信して（Ｓ５３）、前記図７に示した位置情報比較処理を再度行う。
図９は前記報知範囲指定処理部１０８にて前記所定圏内１１の範囲を指定する処理を示すフロー図であり、図１１の範囲選択画面（ａ）から報知したい対象スポット１２から所定圏内である報知範囲を選択し（Ｓ６１）、登録確認した（Ｓ６２）後に報知範囲登録画面（ｂ）により登録が行われる（Ｓ６３）。
尚、図１２はお気に入りに設定された登録情報が表示された画面を示す。前記所定圏内１１にかかる携帯通信端末１０が存在する場合、表示部１１５にはお気に入り通知画面（ａ）が表示され、表示ボタンによりお気に入りに登録された登録情報が表示される。
【００２６】
また、別の実施形態として図４に本第２実施形態に係る携帯通信端末の処理フローを示す。これによれば、前記第１実施携帯と同様にアドレス帳１１３へのお気に入り登録（Ｓ１１）の後、前記位置情報取得部１０４により登録情報に対応する位置情報を取得し（Ｓ１２）、取得した登録位置情報をアドレス帳１１３に記憶させる。一方、ＧＰＳ用衛星１３から受信した信号に基づき前記現在位置情報取得装置１０２により現在位置情報を取得し（Ｓ１４）、取得した現在位置情報を一時記憶する（Ｓ１５）。さらに、前記位置情報比較部１０６により記憶した登録位置情報と現在位置情報とを比較し（Ｓ１６）、一致する場合には該登録位置情報（例えば名前、住所若しくは電話番号等）に基づき前記位置情報サーバ１６ｂ、１８などから詳細な登録情報（例えば詳細な地図、お勧め商品若しくはお知らせ等）を取得して（Ｓ１８）表示部１１５に表示する（Ｓ１９）と同時に、報知手段にて利用者に通知する（Ｓ２０）。一致しない場合には所定時間経過後に再度登録位置情報と現在位置情報の比較を行う（Ｓ１６）。
このようにかかる実施形態では、無線通信回線若しくはインターネット網を介してサーバから対象スポット１２に関する登録情報を入手することができる構成としているため、より詳細でかつリアルタイムな各種登録情報を得ることができる。
【００２７】
【発明の効果】
以上記載のごとく本発明によれば、予め登録してある対象スポットの周辺を通過する際に、所定の報知手段により報知する構成としているため、利用者が偶然近辺を通った場合、機会があったら立ち寄ってみたいと思っていたお店などの対象スポットを見逃すことがなくなる。
また、対象スポットに関する登録情報の通知の際に特別な操作を行う必要がないため、利用者に煩わしさを与えることがなく、目的とする対象スポットを利用者に簡単にかつ的確に知らせることができる。
【図面の簡単な説明】
【図１】本発明の実施形態に係る携帯通信端末を用いた情報報知システムの全体構成図である。
【図２】本発明の実施形態に係る携帯通信端末を示すブロック図である。
【図３】本第１実施形態に係る携帯通信端末の処理フローを示す図である。
【図４】本第２実施形態に係る携帯通信端末の処理フローを示す図である。
【図５】図２の端末の位置情報取得処理フローを示す図である。
【図６】図２の端末のお気に入り店登録処理フローを示す図である。
【図７】図２の端末の位置情報比較処理フローを示す図である。
【図８】図２の端末の割り込み処理フローを示す図である。
【図９】図２の端末の報知範囲指定処理フローを示す図である。
【図１０】図６に対応する表示部への表示画面を示す図である。
【図１１】図９に対応する表示部への表示画面を示す図である。
【図１２】登録情報の表示画面を示す図である。
【符号の説明】
１０      携帯通信端末
１１      所定圏内（登録位置）
１２      対象スポット
１３      ＧＰＳ衛星
１４      ＧＰＳ基地局
１６      移動通信端末基地局
１０２    現在位置情報取得装置
１０４    位置情報取得部
１０５    お気に入り登録処理部
１０６    位置情報比較部
１０７    登録情報取得部
１０８    報知範囲指定処理部
１０９    報知制御部
１１３    データ記憶部（アドレス帳）
【図１】
2004325215.tif 000003
【図２】
2004325215.tif 000004
【図３】
2004325215.tif 000005
【図４】
2004325215.tif 000006
【図５】
2004325215.tif 000007
【図６】
2004325215.tif 000008
【図７】
2004325215.tif 000009
【図８】
2004325215.tif 000010
【図９】
2004325215.tif 000011
【図１０】
2004325215.tif 000012
【図１１】
2004325215.tif 000013
【図１２】
2004325215.tif 000014